(57)【要約】      （修正有）【課題】駆動電源の消耗に伴う電池切れによるシステムの停止の心配がなく，電池の残存容量の確認や電池の交換作業や電池を充電する作業が発生せず，長寿命に所定の情報を送信できるデータキャリアシステムを提供する。【解決手段】所定の情報を記憶する記憶手段１０１と該所定の情報を無線にて送信する送信手段１０２から構成され，所定の情報を非接触で読み取り／書き込み可能なデータキャリア１００と，該データキャリアに電気的に接続された圧電体１０３と，データキャリアとデータ交信を行う質問器（リーダ／ライタ）１０００とからなり，前記圧電体に印加された機械的衝撃又は応力に基づく発生電圧によりデータキャリアを駆動させ，該データキャリアは記憶手段に記憶された所定の情報を無線にて送信し，質問器（リーダ／ライタ）は前記送信された所定の情報を受信処理する。【選択図】      図１
2006031193.tif 000002
【特許請求の範囲】
【請求項１】
所定の情報を記憶する記憶手段と，該所定の情報を無線にて送信する送信手段とを備えて構成され，所定の情報を非接触で読み取り又は書き込みが可能な情報媒体であるデータキャリアと，
該データキャリアに電気的に接続されデータキャリアを駆動する，機械的エネルギーを電気的エネルギーに変換する圧電体と，
データキャリアとデータ交信を行い，該データキャリアの記憶手段に記憶された所定の情報を受信処理する質問器（リーダ／ライタ）とからなり，
前記圧電体に印加された機械的衝撃又は応力に基づく発生電圧によりデータキャリアを駆動させ，
該データキャリアは記憶手段に記憶された所定の情報を無線にて送信し，
質問器（リーダ／ライタ）は前記送信された所定の情報を受信処理することを特徴とするデータキャリアシステム。
【請求項２】
前記データキャリアは，所定の情報を記憶する記憶領域と，該記憶領域から読み出された所定の情報を無線にて外部に送信する無線通信回路とを設けたＩＣチップを備えたＲＦＩＤからなることを特徴とする請求項１記載のデータキャリアシステム。
【請求項３】
前記無線通信回路には，前記質問器（リーダ／ライタ）から送出される信号を受信する受信回路を備えたことを特徴とする請求項２記載のデータキャリアシステム。
【請求項４】
前記圧電体には，機械的衝撃又は応力により発生する分極に応じて正電荷が発生する部分，及び負電荷が発生する部分に少なくとも二つの電極が作製され，各々の電極は，前記ＩＣチップと接続されることを特徴とする請求項２又は請求項３記載のデータキャリアシステム。
【発明の詳細な説明】
【技術分野】
【０００１】
この発明は，所定の情報を物・動物などに付加し，該所定の情報を非接触で読み取り又は書き込みが可能な情報媒体であるデータキャリアを用いたシステムに係り，特に，電磁界あるいは電波を利用して質問器（リーダ／ライタ）との間で非接触にて情報を送信または受信するＲＦＩＤを用い，その駆動電源として圧電体を用いたシステムに関する。
【背景技術】
【０００２】
従来，所定の情報を物・動物などに付加し，該所定の情報を非接触で読み取り又は書き込みが可能な情報媒体であるデータキャリアを用いたシステムとしては，種々のものが知られている。通常は，データキャリアと質問器（リーダ／ライタ）との間で情報を交信し，データキャリアに記憶されている所定の情報を質問器（リーダ／ライタ）により読み出して，当該データキャリアの識別を行うものである。
【０００３】
データキャリアは，電磁界あるいは電波を利用して質問器（リーダ／ライタ）との間で非接触で情報を送信または受信するために，情報を記憶する記憶部と，情報を非接触で送信または送受信するためのアンテナを備えて構成されており，ＲＦＩＤ，ＩＣタグ，ＩＤタグ，ＲＦタグ，無線タグ，電子タグ，トランスポンダ等，様々な名称が使われている。ここでは特に名称としてＲＦＩＤを用いる。
【０００４】
ＲＦＩＤを駆動させる電源に着目した場合，ＲＦＩＤは，電源を内蔵するか外部から電源供給を受けるかの違い等により，自ら所定の情報を含んだ電波を発することが可能なアクティブタイプ（能動形）のＲＦＩＤと，外部からの電波（搬送波）の電力を利用して駆動するパッシブタイプ（受動形）のＲＦＩＤとの二つのタイプに分けることができる。このうち，アクティブタイプのＲＦＩＤにおいては，駆動用の電源が質問器（リーダ／ライタ）の側ではなく，ＲＦＩＤの側にあり，通常，その駆動電源として電池を備えて構成され，質問器（リーダ／ライタ）と交信を行う。
【０００５】
データキャリアシステムは，このようなＲＦＩＤや質問器（リーダ／ライタ）からなっており，医療，物流，製造工程，博物館での利用等さまざまな用途に用いられている。
【０００６】
【非特許文献１】技術総合誌ＯＨＭ  ２００３年１２月号  第２７項
【発明の開示】
【発明が解決しようとする課題】
【０００７】
しかしながら，駆動用の電池を備えたアクティブタイプのＲＦＩＤを用いたデータキャリアシステムの場合，所定の情報を送信する頻度（通常，アクティブタイプのＲＦＩＤは予め決められた間隔で情報を送信するように構成されている）や，送信に必要な電波の強度などに応じて，電池は徐々に消耗していき，ついには情報を送信する電力を発生できなくなる。即ち，ＲＦＩＤからなるデータキャリアは能動的に情報を送信できなくなり，必要なときに所定の情報を送信できなくなる可能性があるという課題があった。また，一般に電池の寿命はＲＦＩＤの記憶部の寿命と比較して短く，このため，アクティブタイプのＲＦＩＤからなるデータキャリアシステムを使用するにあたり，電池が切れてシステムが停止するという心配があり，電池の残存容量の確認や電池の交換作業，もしくは二次電池の場合には電池を充電する作業が発生するという課題があった。
【０００８】
そこで本件の発明は，データキャリアシステムにおいて，駆動電源の消耗に伴う電池切れによるシステムの停止の心配がなく，電池の残存容量の確認や電池の交換作業，もしくは電池を充電する作業が発生せず，長寿命に所定の情報を送信できるデータキャリアシステムを提供することを目的とするものである。
【課題を解決するための手段】
【０００９】
以上のような課題を解決するために，請求項１の発明においては，所定の情報を記憶する記憶手段と，該所定の情報を無線にて送信する送信手段とを備えて構成され，所定の情報を非接触で読み取り又は書き込みが可能な情報媒体であるデータキャリアと，該データキャリアに電気的に接続されデータキャリアを駆動する，機械的エネルギーを電気的エネルギーに変換する圧電体と，データキャリアとデータ交信を行い，該データキャリアの記憶手段に記憶された所定の情報を受信処理する質問器（リーダ／ライタ）とからなり，前記圧電体に印加された機械的衝撃又は応力に基づく発生電圧によりデータキャリアを駆動させ，該データキャリアは記憶手段に記憶された所定の情報を無線にて送信し，質問器（リーダ／ライタ）は前記送信された所定の情報を受信処理することを特徴としてデータキャリアシステムを提供したものである。
【００１０】
これにより，機械的エネルギーを電気的エネルギーに変換する圧電体をデータキャリアに電気的に接続し，該圧電体に機械的な衝撃を印加することにより，所定の情報を送信するための駆動用の電力をデータキャリアに供給し，一般に，圧電体の寿命は，データキャリアの記憶手段の寿命と同程度に長寿命であるため，電池を用いた場合と比べて，電池が切れることによるデータキャリアシステムが停止するという心配がなく，電池の残存容量の確認や電池の交換作業，もしくは電池を充電する作業といった後工程の作業が発生することなくメンテナンスフリーで，しかも，データキャリアから能動的に情報を送信できなくなるおそれがなく長寿命に情報を送信が行えるデータキャリアシステムを提供することが可能となるものである。
【００１１】
また、請求項２の発明においては，前記データキャリアは，所定の情報を記憶する記憶領域と，該記憶領域から読み出された所定の情報を無線にて外部に送信する無線通信回路とを設けたＩＣチップを備えたＲＦＩＤからなることを特徴として請求項１記載のデータキャリアシステムを提供したものである。
【００１２】
これにより，機械的エネルギーを電気的エネルギーに変換する圧電体を，ＲＦＩＤに設けられるＩＣチップに電気的に接続し，該圧電体に機械的な衝撃を印加することにより，所定の情報を送信するための駆動用の電力をデータキャリアに供給し，一般に，圧電体の寿命は，データキャリアの記憶領域や無線通信回路の寿命と同程度に長寿命であるため，電池を用いた場合と比べて，電池が切れることによるデータキャリアシステムが停止するという心配がなく，電池の残存容量の確認や電池の交換作業，もしくは電池を充電する作業といった後工程の作業が発生することなくメンテナンスフリーで，しかも，データキャリアから能動的に情報を送信できなくなるおそれがなく長寿命に情報を送信が行えるデータキャリアシステムを提供することが可能となるものである。
【００１３】
また，請求項３の発明においては，前記無線通信回路には，前記質問器（リーダ／ライタ）から送出される信号を受信する受信回路を備えたことを特徴として請求項２記載のデータキャリアシステムを提供したものである。
【００１４】
これにより，データキャリアシステムにおいて，圧電体を駆動電源としたデータキャリアの側から一方的に所定の情報を送信するだけでなく，質問器（リーダ／ライタ）からの要求信号を得た場合に，それに応じて所定の情報を応答送信することが可能となり，能動的，受動的両方の側面を持ち合わせたデータキャリアシステムを提供できる。
【００１５】
また，請求項４の発明においては，前記圧電体には，機械的衝撃又は応力により発生する分極に応じて正電荷が発生する部分，及び負電荷が発生する部分に少なくとも二つの電極が作製され，各々の電極は，前記ＩＣチップと接続されることを特徴として請求項２又は請求項３記載のデータキャリアシステムを提供したものである。
【００１６】
これにより，圧電体の分極に応じて発生する正電荷及び負電荷の部分に電極を設けることにより請求項２又は請求項３記載のデータキャリアシステムを提供したため，請求項２又は請求項３の効果に加えて，圧電体に発生する電圧を効率よく取り出すことが可能となるため，圧電体に加える外部からの衝撃力をより小さくすることができることにより，圧電体の破壊，損傷のおそれが低減し，したがって，より長寿命に情報を送信することが可能なデータキャリアシステムを提供することが可能となるものである。
【発明の効果】
【００１７】
本発明によれば，駆動電源の消耗に伴う電池切れによるシステムの停止の心配がなく，電池の残存容量の確認や電池の交換作業，もしくは電池を充電する作業が発生せず，長寿命に所定の情報を送信できるデータキャリアシステムを提供することができる。
【実施例】
【００１８】
次に，実施の形態について図面を用いて説明するが，先に説明に用いる語句について定義を行っておく。
【００１９】
データキャリアとは，所定の情報を物・動物などに付加し，該所定の情報を非接触で読み取りが可能な情報媒体を指す。この情報媒体としては，バーコード，２次元シンボル，ＲＦＩＤ（Ｒａｄｉｏ  Ｆｒｅｑｕｅｎｃｙ  Ｉｄｅｎｔｉｆｉｃａｔｉｏｎ）などを意味するが，本発明においては，特にＲＦＩＤを意味する。尚，２次元シンボルは，ＰＤＦ４１７，Ｄａｔｅ  Ｍａｔｒｉｘ，Ｍａｘｉ  Ｃｏｄｅ，ＱＲ  Ｃｏｄｅ等をいう。
【００２０】
ＲＦＩＤとは，電磁界あるいは電波を利用して質問器（リーダ／ライタ）との間で非接触で情報を送信または送受信するタイプのデータキャリアを指す。
【００２１】
質問器（リーダ／ライタ）とは，データキャリアとのデータ交信，制御及びそのデータに関する処理を行う装置であり，アンテナと，制御部（信号処理部と外部インターフェース）とから構成される。
【００２２】
圧電体とは，機械的エネルギーを電気的エネルギーに変換する圧電性を持った物質で，機械的な衝撃や応力を受けると，衝撃や応力の大きさに比例した電圧を発生させるものである。通常，キュリー温度以下の強誘電体領域で圧電性を有するものをピエゾ素子（圧電素子）と呼び，キュリー温度以上の常誘電体領域で圧電性を有するものを電歪素子と呼ぶ。圧電性を有する物質は，自発分極（電荷の偏り）を有しており物質内部に正負それぞれの電荷の中心が存在する。このため，衝撃を受けた場合，物質全体としての分極の方向において物質の表面には正電荷及び負電荷が生じ，両電荷間において電圧を発生するものである。
【００２３】
ＩＣとは，トランジスタ，抵抗，コンデンサ，ダイオードなどの素子を集めて基板の上に装着し，各種の機能を持たせた電子回路のことをいう。チップとは，パッケージされた電子回路（ＩＣ)を指す。
【００２４】
図１には本発明のデータキャリアシステムの第一の実施例を示している。データキャリアシステム１を構成するデータキャリア１００は，所定の情報を記憶する記憶手段１０１と，該所定の情報を無線送信するための送信手段１０２とを備えて構成され，該記憶手段１０１，送信手段１０２に駆動用の電力を供給するための駆動電源としての圧電体１０３が設けられている。
【００２５】
記憶手段１０１に記憶される所定の情報は，ＩＳＯやＩＥＣ等で標準化されているように，個々のデータキャリアに登録されるユニークな情報（数値や文字からなるＩＤ）で，この所定の情報を用いて，データキャリアが付加される物・動物を識別することができるものである。通常，この所定の情報と，関連付けられたデータが存在し，データキャリアから所定の情報を読み出し，関連付けられたデータを参照することにより，その対象を知ることができる。
【００２６】
駆動電源として，圧電性を有する物質，即ち圧電体１０３を用いる。圧電体１０３の発電部とデータキャリア１００とを電気的に接続し，機械的な衝撃や応力を印加した場合には，発生した電圧をデータキャリア１００に供給することにより，記憶手段１０１，及び送信手段１０２を駆動させ所定の情報を送信する。
【００２７】
送信された所定の情報は質問器（リーダ／ライタ）１０００により受信される。質問器（リーダ／ライタ）１０００は，情報を受信するアンテナ１００１と，該アンテナ１００１と接続され，受信した情報（データ）を処理する制御部１００２とから構成されている。制御部１００２は受信データを復調してデータを取り出すデータ処理部や，取り出したデータを質問器（リーダ／ライタ）から外部の機器に伝送する外部インターフェースを備えている。
【００２８】
データキャリア１００の送信手段を駆動させるための適切な電圧を発生させるためには，圧電性を有する物質の選定と，物質が破壊しない程度の適度な衝撃の印加または応力の印加が必要である。
【００２９】
圧電性を有する物質に機械的な衝撃を印加するために，種々の機構を用いることができる。使用状態によっては，人為的に機械的な衝撃を印加する場合と，データキャリア１００を付加する対象にその制御プロセスにおいて機械的に衝撃を印加する場合とがある。
【００３０】
また，圧電性を有する物質としては，機械的なエネルギーを高効率に電気的なエネルギーに変換できる圧電性物質が有効である。例えば，チタン酸ジルコン酸鉛に代表されるＰＺＴ系や，ニオブ酸リチウム（ＬｉＮｂＯ３）などのような機械電気結合定数の高い圧電性を有する物質を用いて構成するとよい。
【００３１】
また，圧電性を有する物質は，軟質と硬質に分類され，軟質の圧電性を有する物質は，キュリー温度が低く，減極が起こりやすく，衝撃に対する再現性が乏しいのに対して，硬質の圧電性を有する物質は，キュリー温度が高く（３００℃以上），減極が起こりにくく，再現性が高いため，硬質の圧電性を有する物質を用いることにより，より長寿命で再現性よく電圧を発生することができ，記憶手段１０１，及び送信手段１０２を駆動することが可能である。
【００３２】
次に，本実施例におけるデータキャリアシステムの動作について説明する。図７はデータキャリアシステムの処理フローを示した図である。
【００３３】
まず，圧電体１０３に機械的衝撃又は応力を印加する（ステップＳ００１）。すると，圧電体１０３は発電し（ステップＳ００２），発電電圧をデータキャリア１００に供給する（ステップＳ００３）。そしてデータキャリア１００が駆動し（ステップＳ００４），記憶手段から所定の情報を読み出す（ステップＳ００５）。読み出された所定の情報は送信手段１０２により送出される（ステップＳ００６）。
【００３４】
データキャリア１００から送出された所定の情報は，質問器（リーダ／ライタ）１０００に設けられたアンテナ１００１により受信される（ステップＳ１０１）。受信された情報は，制御部１００２でデータ処理され（ステップＳ１０２），外部インターフェースにより外部機器に伝送される（ステップＳ１０３）。
【００３５】
このように，データキャリア１００を構成し，圧電体１０３と電気的に接続して設けたため，圧電体１０３に衝撃や応力を印加することにより電圧を発生させ，データキャリア１００を駆動させることにより，所定の情報を送信し，該送信された所定の情報は質問器（リーダ／ライタ）１０００により受信され，データキャリア１００を識別することが可能なデータキャリアシステム１を提供できる。
【００３６】
次にデータキャリアシステムの第二の実施例を図２に示している。第二の実施例はデータキャリアはＲＦＩＤ２００からなるものである。ＲＦＩＤ２００は，所定の情報を記憶する記憶領域２０１１と所定の情報を無線にて外部に送信する送信手段２０１２とを設けたＩＣチップ２０１とを備えて構成され，該ＩＣチップ２０１と接続されＩＣチップに駆動用の電力を供給するための，駆動電源としての圧電体２０３が設けられる。
【００３７】
ＩＣチップ２０１の記憶領域２０１１に記憶される所定の情報は，前述したように，ＩＳＯやＩＥＣ等で標準化された，個々のデータキャリアに登録されるユニークな情報（数値や文字からなるＩＤ）で，この所定の情報を用いて，データキャリアが付加される物・動物を識別することができるものである。通常，この所定の情報と，関連付けられたデータが存在し，データキャリアから所定の情報を読み出し，関連付けられたデータを参照することにより，データキャリアを識別することができる。
【００３８】
記憶領域２０１１は，システム領域と，ユーザ領域に分けられて構成されている。システム領域はＲＦＩＤの管理用に使用されるメモリ領域である。ユーザ領域は，利用者が自由に利用できるメモリ領域であり，所定の情報を書き込んで利用する。
【００３９】
送信手段には，所定の情報を無線にて外部に送信する無線通信回路２０１２が設けられており，変調回路が構成されている。また，質問器（リーダ／ライタ）１０００から発信される無線信号を受信できるように受信回路，即ち復調回路を設けて構成される。無線信号を受信するアンテナについては，ＩＣチップ２０１に外付けにより設けてもよいし，ＩＣチップ２０１の回路に作りこんで設けてもよい。送受信する電波の周波数に応じて，信号を送信，受信できるように設ければよい。
【００４０】
所定の情報の書き込みについては，データキャリアを使用する前に質問器（リーダ／ライタ）等を用いて，予め書き込んでおく。書き込み時に使用する電源は，質問器（リーダ／ライタ）から送られてくる所定の情報を含んだ搬送波によるエネルギーを利用する。または，記憶手段に専用の書き込み装置を用いて直接書き込みを行う。
【００４１】
駆動電源として，圧電性を有する物質，即ち圧電体２０３を用いる。圧電体２０３の発電部とデータキャリアであるＲＦＩＤ２００とを電気的に接続し，機械的な衝撃や応力を印加した場合には，発生した電圧をデータキャリア２００に供給することにより，記憶領域２０１１，及び無線通信回路２０１２を駆動させ所定の情報を送信する。
【００４２】
送信された所定の情報は質問器（リーダ／ライタ）１０００により受信される。質問器（リーダ／ライタ）１０００は，情報を受信するアンテナ１００１と，該アンテナ１００１と接続され，受信した情報（データ）を処理する制御部１００２とから構成されている。制御部１００２は受信データを復調してデータを取り出すデータ処理部や，取り出したデータを質問器（リーダ／ライタ）から外部の機器に伝送する外部インターフェースを備えている。
【００４３】
送信手段を駆動させるための適切な電圧を発生させるために，圧電性を有する物質の選定と，物質が破壊しない程度の適度な衝撃の印加または応力の印加が必要であるが，第一の実施例と同様であるので説明を省略する。
【００４４】
次に，本実施例におけるデータキャリアシステムの動作について説明する。図８は第一の実施例と同じく，圧電体に衝撃を印加した場合のデータキャリアシステムの処理フローを示した図である。
【００４５】
まず，圧電体２０３に機械的衝撃又は応力を印加する（ステップＳ２０１）。すると，圧電体２０３は発電し（ステップＳ２０２），発電電圧をデータキャリアとしてのＲＦＩＤ２００に供給する（ステップＳ２０３）。そしてＲＦＩＤ２００が駆動し（ステップＳ２０４），記憶領域から所定の情報を読み出す（ステップＳ２０５）。読み出された所定の情報は送信手段１０２により送出される（ステップＳ２０６）。
【００４６】
ＲＦＩＤ２００から送出された所定の情報は，質問器（リーダ／ライタ）１０００に設けられたアンテナ１００１により受信される（ステップＳ３０１）。受信された情報は，制御部１００２でデータ処理され（ステップＳ３０２），外部インターフェースにより外部機器に伝送される（ステップＳ３０３）。
【００４７】
次に，質問器（リーダ／ライタ）からＲＦＩＤに働きかけ，所定の情報を読み出す場合のデータキャリアシステムの処理フローを図９に示した。
【００４８】
まず，データキャリアであるＲＦＩＤ２００に問合せ信号を送信する（ステップＳ３１１）。ＲＦＩＤ２００は，無線通信回路２０１２に設けられた受信回路にて，問合せ信号を受信する（ステップＳ２１１）。ＲＦＩＤは質問器（リーダ／ライタ）１０００から送出される所定の情報を含んだ搬送波に起因するエネルギーにより駆動する（ステップＳ２１２）。そして，記憶領域から所定の情報を読み出す（ステップＳ２１３）。読み出された所定の情報は送信手段である無線通信回路２０１２から送出される（ステップＳ２１４）。
【００４９】
ＲＦＩＤから送出された所定の情報は，質問器（リーダ／ライタ）１０００に設けられたアンテナ１００１により受信される（ステップＳ３１２）。受信された情報は，制御部１００２でデータ処理され（ステップＳ３１３），外部インターフェースにより外部機器に伝送される（ステップＳ３１４）。
【００５０】
このように，データキャリア２００を構成し，圧電体２０３と電気的に接続して設けたため，圧電体１０３に衝撃や応力を印加することにより電圧を発生させたり，質問器（リーダ／ライタ）１０００からの問合せ信号によりデータキャリア２００を駆動させることにより，所定の情報を質問器（リーダ／ライタ）１０００に向けて送信し，該送信された所定の情報は質問器（リーダ／ライタ）１０００により受信され，ＲＦＩＤ２００を識別することが可能なデータキャリアシステム２を提供できる。
【００５１】
次に，駆動電源に着目し，圧電体に作製される電極について詳細に説明する。
図３には，圧電体の内部における分極と，発生する電荷の概略図を示している。発電素子（デバイス）として用いられる圧電体は，単結晶の場合もあるが通常は多結晶から構成されている圧電体セラミックスを用いる場合が多い。
【００５２】
多結晶からなる圧電体セラミックスは，各々の結晶においては分極の方向が散逸的であるものの，全体としては一定の方向に分極が発生している。圧電体に衝撃力を加えると，互いの結晶の分極が作用し合い，結晶の片面には正の，他面には負の電荷が発生する。結晶の表面において電荷が発生する部分に電極を作製することで，電極と，電圧供給先とを電気的に接続することにより，衝撃力に応じた電圧を電圧供給先に供給することが可能である。
【００５３】
駆動電源となる圧電体としては，高い機械電気結合定数を有する単結晶やセラミックスを用いることができる。例えばチタン酸ジルコン酸鉛に代表されるＰＺＴ系や，ニオブ酸リチウム（ＬｉＮｂＯ３）からなる圧電体を用いる。
【００５４】
図４には，圧電体とＩＣチップとの接続を示した図を示している。圧電体２０３は，該圧電体における分極を生ずる方向において，片面２０３ａと，その対向する面２０３ｂとがＩＣチップ２０１に電気的に接続されている。圧電体２０３に機械的な衝撃が印加された場合には片面２０３ａと対向する面２０３ｂとの間には電位差が生じＩＣチップ２０１に電源を供給できる。
【００５５】
片面２０３ａ及びその対向する面２０３ｂには，二つの電極Ａ２０４ａ及び電極Ｂ２０４ｂを作製し，各々の電極Ａ，Ｂと，ＩＣチップ２０１とを電気的に接続する，即ち，片極の電極，この場合電極Ａ２０４ａと隣り合うようにＩＣチップ２０１を設けて電気的に接続し，他極の電極，この場合電極Ｂ２０４ｂとＩＣチップ２０１とを電気的に接続２０５する。圧電体２０３に，機械的な衝撃を印加した場合には，発生した電圧を効率的に取り出せ，ＩＣチップに設けられた記憶手段２０１１及び送信手段２０１２を駆動させ所定の情報を送信する。
【００５６】
図５には，圧電体を含んで構成されたＲＦＩＤ３００の概略図を示している。図４においては，圧電体２０３はＲＦＩＤ２００の外部に設けられていたが，図５においてはＲＦＩＤ３００に圧電体３０３を含めて一体に構成している。３０１はＩＣチップ，３０４ａ，３０４ｂは圧電体３０３に作製された電極である。ＩＣチップ及び圧電体の接続は，図４の実施例と同様であるので説明は省略する。
【００５７】
このようにＲＦＩＤ３００に圧電体３０３を含んで構成したため，ＲＦＩＤ３００単体で使用を行いたい場合などに適用できる。
【００５８】
その他の例として，所定の情報の無線送信を感度よく行うため，また，質問器（リーダ／ライタ）からの送信電波の受信をより感度よく行うため，アンテナをＩＣチップの外部に設けて構成した例を図６に示した。この場合のＲＦＩＤを４００とする。
【００５９】
アルミ，銅，銀などで構成されたアンテナ４０２をＩＣチップ４０１と接続してＲＦＩＤ４００を構成する。アンテナは通信する周波数に合わせて適宜設ければよい。ＩＣチップの送信手段，即ち無線通信回路に内蔵させて，ＩＣチップと一体に設けた場合と比べて，より感度よく送受信が行える。アンテナをＩＣチップと一体に設けた場合には，ＲＦＩＤを使用するにあたり，アンテナが邪魔にならずに使用が行え，より小型化できるため，データキャリアであるＲＦＩＤを付加する対象や用途に応じて，アンテナを外付けにする場合，一体二設ける場合と適宜選べばよい。
【００６０】
このように構成したデータキャリア６００に外部から機械的な衝撃を印加すると，圧電体４０３において発生した電圧はＩＣチップ４０１に供給され，該ＩＣチップ４０１の記憶領域に記憶された所定の情報が無線通信回路によりアンテナ４０２を介して送信される。
【００６１】
尚，いずれの場合においても，印加する衝撃は，圧電体が破壊しないよう適切に与える必要がある。
【００６２】
また，本発明の実施例として説明を行ってきた記憶手段１０１やＩＣチップにおける記憶領域を読み込み及び書き込み可能なメモリを用い，無線通信回路に変調回路及び復調回路を設けて，リードオンリー形のＲＦＩＤのみならず，リードライト形のＲＦＩＤを構成することができる。前述したように，書き込みに用いる電源は，質問器（リーダ／ライタ）から送られてくる所定の情報を含んだ搬送波によるエネルギーを利用する。
【００６３】
このほか，記憶手段や記憶領域に用いるメモリを一回のみ書き込み可能なメモリを用いて，ライトワンス形，即ち質問器（リーダ／ライタ）を用いて，記憶手段や記憶領域に一度だけ所定の情報の書き込みができ，以降は所定の情報の読み取りのみが可能なタイプとしての使用が可能である。さらに記憶手段や記憶領域に用いるメモリをビット単位もしくはバイト単位で分割し，各分割領域に一度だけ書き込みを行うことでメモリの容量に応じて書き込み回数を複数回可能とした追記形としても用いることができる。
【００６４】
以上説明を行ってきたように，圧電体による発電電圧を駆動電圧として用いるようデータキャリアシステムを構成したため，駆動電源の消耗に伴う電池切れによるシステムの停止の心配がなく，電池の残存容量の確認や電池の交換作業，もしくは電池を充電する作業が発生せず，超寿命に所定の情報を送信できるデータキャリアシステムを提供することが可能となる。
【産業上の利用可能性】
【００６５】
本発明におけるデータキャリアを駆動させる方法では，電池が不要で，衝撃が印加された場合に駆動電力を能動的に発生させ，長寿命に使用できるため，産業上機械的な衝撃や応力が加わる状況で用いることができる可能性がある。
【図面の簡単な説明】
【００６６】
【図１】第一の実施例を示すブロック図。
【図２】第二の実施例を示すブロック図。
【図３】圧電体の発電を示した概略図。
【図４】圧電体とＩＣチップとの接続を示した図。
【図５】圧電体とＩＣチップとの接続を示した図。
【図６】アンテナを外部に設けた例を示した図。
【図７】第一の実施例におけるデータキャリアシステムの処理フロー。
【図８】第二の実施例におけるデータキャリアシステムの処理フロー。
【図９】所定の情報を読み出す場合の処理フロー。
【符号の説明】
【００６７】
１００  データキャリア
１０１  記憶手段
１０２  送信手段
１０３  圧電体
１０００  質問器（リーダ／ライタ）
１００１  アンテナ
１００２  制御部
２００  ＲＦＩＤ
２０１  ＩＣチップ
２０１１  記憶領域
２０１２  無線通信回路
２０３  圧電体
２０４ａ  電極Ａ
２０４ｂ  電極Ｂ
２０５  電気的接続
３００  ＲＦＩＤ
３０１  ＩＣチップ
３０１１  記憶領域
３０１２  無線通信回路
３０３  圧電体
３０４ａ  電極Ａ
３０４ｂ  電極Ｂ
３０５  電気的接続
４００  ＲＦＩＤ
４０１  ＩＣチップ
４０２  アンテナ
４０３  圧電体
４０４ａ  電極Ａ
４０４ｂ  電極Ｂ
４０５  電気的接続
【図１】
2006031193.tif 000003
【図２】
2006031193.tif 000004
【図３】
2006031193.tif 000005
【図４】
2006031193.tif 000006
【図５】
2006031193.tif 000007
【図６】
2006031193.tif 000008
【図７】
2006031193.tif 000009
【図８】
2006031193.tif 000010
【図９】
2006031193.tif 000011